(57)【特許請求の範囲】
【請求項１】
ウォッベ指数（ＷＩ）の異なる２種類の燃料ガスに対して、それぞれ供給ガス流量等の燃焼仕様を記憶し、予め設定された何れか一方の燃料ガスの上記燃焼仕様に沿って燃焼制御するガス燃焼器具において、
上記設定された種類の燃料ガスが供給される場合には正常燃焼し、他方の燃料ガスが供給される場合には異常燃焼するメインバーナと、
上記２種類の燃料ガスのどちらが供給されても正常燃焼するセンサーバーナと、
上記メインバーナの火炎の状態を検知する第１炎検知素子と、
上記センサーバーナの火炎の状態を検知する第２炎検知素子と、
上記第１炎検知素子からの検知信号と上記第２炎検知素子からの検知信号との組み合わせに応じて、供給された燃料ガスの種類を判別するガス種判別手段と
を備えたことを特徴とするガス燃焼器具。
【請求項２】
ウォッベ指数（ＷＩ）の異なる２種類の燃料ガスに対して、それぞれ供給ガス流量等の燃焼仕様を記憶し、予め設定された何れか一方の燃料ガスの上記燃焼仕様に沿って燃焼制御するガス燃焼器具において、
上記２種類の燃料ガスのどちらが供給されても所定状態の火炎を形成するメインバーナと、
上記設定された種類の燃料ガスが供給される場合には正常燃焼し、他方の燃料ガスが供給される場合には異常燃焼するセンサーバーナと、
上記センサーバーナの火炎の状態を検知する第１炎検知素子と、
上記メインバーナの火炎の状態を検知する第２炎検知素子と、
上記第１炎検知素子からの検知信号と上記第２炎検知素子からの検知信号との組み合わせに応じて、供給された燃料ガスの種類を判別するガス種判別手段と
を備えたことを特徴とするガス燃焼器具。
【請求項３】
第２炎検知素子から異常信号が出力された場合には、上記全てのバーナを消火することを特徴とする請求項１または２記載のガス燃焼器具。
【請求項４】
上記ガス種判別手段の判別結果に応じて上記メインバーナの燃焼仕様を自動的に設定する仕様自動設定手段を備え、
燃料ガスのＷＩに関係なく同じ単位時間当たりの発熱量で燃焼することを特徴とする請求項１〜３の何れかに記載のガス燃焼器具。
【請求項５】
上記燃料ガスのうち低ＷＩガスはジメチルエーテル、高ＷＩガスはＬＰガスであることを特徴とする請求項１〜４の何れかに記載のガス燃焼器具。
【発明の詳細な説明】
【０００１】
【発明の属する技術分野】
本発明はウォッベ指数の異なる燃料ガスを燃焼可能なガス燃焼器具に関する。
【０００２】
【従来の技術】
現在、家庭用ガス燃焼器具へ供給するガス種としては、主に都市ガスとＬＰガス（プロパンを主成分とした液化石油ガスで、以下、ＬＰＧと呼ぶ）とが知られているが、ＬＰＧはやや高価である。そこで、最近、安価なジメチルエーテル（以下、ＤＭＥと呼ぶ）をＬＰＧの代替燃料として使用することが検討されている。
また、ＤＭＥの供給は現在のところ十分なものではないので、常にＤＭＥを使い続けることができる保障もなく、ＤＭＥの供給が滞った場合には、ＬＰＧを使う必要があり、今後ＬＰＧをＤＭＥに置き換えるようにしても、当面の間はＤＭＥとＬＰＧとの並行使用をすることも考えられている。
【０００３】
【発明が解決しようとする課題】
しかしながら、ＤＭＥとＬＰＧとはウォッベ指数（以下、ＷＩと呼ぶ）が大幅に異なるため、ＬＰＧ用の燃焼器具にそのままＤＭＥを供給すると、単位時間当たりの発熱量（インプット）が大幅に変化して燃焼器具の燃焼や出力などの特性が悪化してしまうので、供給ガスがＤＭＥかＬＰＧかを判別して、そのガス種に適したガス供給流量や燃焼用空気供給流量に調整する必要がある。
そこで、本発明のガス燃焼器具は上記課題を解決し、燃料ガスの種類を判別するガス燃焼器具を提供することを目的とする。
【０００４】
【課題を解決するための手段】
上記課題を解決する本発明の請求項１記載のガス燃焼器具は、
ウォッベ指数（ＷＩ）の異なる２種類の燃料ガスに対して、それぞれ供給ガス流量等の燃焼仕様を記憶し、予め設定された何れか一方の燃料ガスの上記燃焼仕様に沿って燃焼制御するガス燃焼器具において、
上記設定された種類の燃料ガスが供給される場合には正常燃焼し、他方の燃料ガスが供給される場合には異常燃焼するメインバーナと、
上記２種類の燃料ガスのどちらが供給されても正常燃焼するセンサーバーナと、
上記メインバーナの火炎の状態を検知する第１炎検知素子と、
上記センサーバーナの火炎の状態を検知する第２炎検知素子と、
上記第１炎検知素子からの検知信号と上記第２炎検知素子からの検知信号との組み合わせに応じて、供給された燃料ガスの種類を判別するガス種判別手段と
を備えたことを要旨とする。
【０００５】
また、本発明の請求項２記載のガス燃焼器具は、
ウォッベ指数（ＷＩ）の異なる２種類の燃料ガスに対して、それぞれ供給ガス流量等の燃焼仕様を記憶し、予め設定された何れか一方の燃料ガスの上記燃焼仕様に沿って燃焼制御するガス燃焼器具において、
上記２種類の燃料ガスのどちらが供給されても所定状態の火炎を形成するメインバーナと、
上記設定された種類の燃料ガスが供給される場合には正常燃焼し、他方の燃料ガスが供給される場合には異常燃焼するセンサーバーナと、
上記センサーバーナの火炎の状態を検知する第１炎検知素子と、
上記メインバーナの火炎の状態を検知する第２炎検知素子と、
上記第１炎検知素子からの検知信号と上記第２炎検知素子からの検知信号との組み合わせに応じて、供給された燃料ガスの種類を判別するガス種判別手段と
を備えたことを要旨とする。
【０００６】
また、本発明の請求項３記載のガス燃焼器具は、上記請求項１または２記載のガス燃焼器具において、
第２炎検知素子から異常信号が出力された場合には、上記全てのバーナを消火することを要旨とする。
【０００７】
また、本発明の請求項４記載のガス燃焼器具は、上記請求項１〜３の何れかに記載のガス燃焼器具において、
上記ガス種判別手段の判別結果に応じて上記メインバーナの燃焼仕様を自動的に設定する仕様自動設定手段を備え、
燃料ガスのＷＩに関係なく同じ単位時間当たりの発熱量で燃焼することを要旨とする。
【０００８】
また、本発明の請求項５記載のガス燃焼器具は、上記請求項１〜４の何れかに記載のガス燃焼器具において、
上記燃料ガスのうち低ＷＩガスはジメチルエーテル、高ＷＩガスはＬＰガスであることを要旨とする。
【０００９】
上記構成を有する本発明の請求項１記載のガス燃焼器具は、２種類の燃料ガスのうちの一方のガス種（例えば、高ＷＩガス）に対応する燃焼仕様に設定された状態で、その種類の燃料ガス（ここでは、高ＷＩガス）が供給されると、メインバーナもセンサーバーナも正常燃焼し、第１炎検知素子も第２炎検知素子も正常信号を出力する。この検知信号の組み合わせから、設定仕様と同じ種類のガス（ここでは、高ＷＩガス）が供給されたと判別する。
一方、設定仕様と異なる種類の燃料ガス（ここでは、低ＷＩガス）が供給されると、メインバーナが異常燃焼し、第１炎検知素子が異常信号を出力する。この際、燃焼仕様とは異なるガス（ここでは、低ＷＩガス）が供給されていることと、ガス燃焼器具に異常があることとの２通りが考えられる。
そこで、第２炎検知素子からの出力信号を参照することで判別できる。つまり、センサーバーナが正常燃焼して第２炎検知素子が正常信号を出力する場合には、設定仕様とは異なるガス（ここでは、低ＷＩガス）が供給されたと判別する。一方、第２炎検知素子から正常信号が得られない場合には、着火異常が発生していると判断する。
このように、第１炎検知素子と第２炎検知素子とが出力する検知信号の組み合わせに応じて、供給ガスの種類を正確に判別する。
尚、異常燃焼とは、正常に燃焼していない状態を表し、失火している状態も含む。
【００１０】
また、本発明の請求項２記載のガス燃焼器具は、２種類の燃料ガスのうちの一方のガス種（例えば、高ＷＩガス）に対応する燃焼仕様に設定された状態で、その種類の燃料ガス（ここでは、高ＷＩガス）が供給されると、センサーバーナもメインバーナも正常燃焼し、第１炎検知素子も第２炎検知素子も正常信号を出力する。この検知信号の組み合わせから、設定仕様と同じ種類のガス（ここでは、高ＷＩガス）が供給されたと判別する。
一方、設定仕様と異なる種類の燃料ガス（ここでは、低ＷＩガス）が供給されると、センサーバーナが異常燃焼し、第１炎検知素子が異常信号を出力する。この際、センサーバーナの異常燃焼の原因が、燃焼仕様とは異なるガス（ここでは、低ＷＩガス）が供給されたためなのか、それとも、ガス燃焼器具に異常があるためなのかが、第１炎検知素子の出力信号からは区別できない。
そこで、メインバーナの火炎の状態を検知する第２炎検知素子からの出力信号と第１炎検知素子からの出力信号とを組み合わせることによって区別することができる。
つまり、メインバーナが正常燃焼して第２炎検知素子が正常信号を出力する場合には、設定仕様とは異なるガス（ここでは、低ＷＩガス）が供給されたと判別する。一方、第２炎検知素子から正常信号が得られない場合には、着火異常が発生していると判断する。
このように、第１炎検知素子と第２炎検知素子とが出力する検知信号の組み合わせに応じて、供給ガスの種類を正確に判別する。
【００１１】
また、本発明の請求項３記載のガス燃焼器具は、第２炎検知素子から異常信号が出力された場合には、メインバーナ及びセンサーバーナを消火する。
【００１２】
また、本発明の請求項４記載のガス燃焼器具は、ガス種判別手段の判別結果に応じてメインバーナの燃焼仕様を自動的に設定して、燃料ガスのＷＩに関係なく同じ単位時間当たりの発熱量（インプット）でメインバーナを燃焼する。
【００１３】
また、本発明の請求項５記載のガス燃焼器具は、ＤＭＥが供給される場合にはＬＰＧの場合よりもガス流量と空気通過抵抗とを増加させ、ＬＰＧと同インプットでかつ正常にバーナを燃焼させる。
ＤＭＥは、ＬＰＧと同様にガスボンベに液化封入して供給できるため、ＬＰＧの代替燃料としてそのまま安全に使うことができる。
【００１４】
【発明の実施の形態】
以上説明した本発明の構成・作用を一層明らかにするために、以下本発明のガス燃焼器具の好適な実施形態について説明する。
《第１実施形態》
本発明の第１実施形態としての給湯器について図１，図２を用いて説明する。
【００１５】
給湯器１０は、燃料ガスの種類に適した空燃比制御データ（後述する）に基づいて燃焼制御されると正常燃焼するメインバーナ１１と、燃料ガスのＷＩの異なるＤＭＥ（低ＷＩガス）やＬＰＧ（高ＷＩガス）を正常に燃焼するセンサーバーナ１２と、各バーナ１１，１２に燃焼用一次空気を強制的に供給するファン６０と、メインバーナ１１の燃焼熱により通水を加熱するフィンチューブ式熱交換器１３とを備える。尚、このセンサーバーナ１２は、炎口形状や炎口負荷を調整したり、保炎用の炎口を設けたりすることで、ＤＭＥでもＬＰＧでも火炎を形成することができるが、着火インプット未満のインプットでは正常に燃焼できない。
【００１６】
給湯器１０内に設けられる通水管は、上流から順に、給水管１４，熱交換器１３に設けられる伝熱管１３ａ，出湯管１５からなる。この給水管１４には、水流センサや水ガバナを備える水側制御ユニット５１と、入水温サーミスタ５２とが設けられ、また、出湯管１５には出湯温サーミスタ５３が設けられる。
【００１７】
メインバーナ１１へ燃料ガスを供給するガス流路となる第１ガス管２１には、上流から順に、ガス流路を開閉する元開閉弁３２，メインバーナ１１へのガス流量を調整可能な比例弁３１が設けられると共に、元開閉弁３２と比例弁３１との間から分岐してセンサーバーナ１２へ燃料ガスを供給するガス流路となる第２ガス管２２が設けられる。
【００１８】
また、メインバーナ１１の近傍には、メインバーナ１１の炎電流を検知する第１フレームロッド４１が設けられ、一方、センサーバーナ１２の近傍には、センサーバーナ１２の炎電流を検知する第２フレームロッド４２が設けられる。また、両方のバーナ１１，１２に点火するイグナイタ（図示略）も設けられる。
【００１９】
比例弁３１，元開閉弁３２，各フレームロッド４１，４２，イグナイタ，ファン６０は、各バーナ１１，１２の燃焼制御等を行うコントローラ５０に電気的に接続される。
【００２０】
このコントローラ５０は、後述する方法で判別されたガス種に対応する空燃比制御データを選択する。この空燃比制御データは、各ガス種毎に、要求インプットＩｐに対するガス比例弁電流とファン６０の回転数との目標制御値を表すもので不揮発性メモリに記憶されている。
つまり、比例弁３１の開度を制御してメインバーナ１１へ供給するガス流量を調整すると共に、ファン６０の回転数を制御してメインバーナ１１へ供給する空気流量を調整する。
【００２１】
ここで、ガス種判別と各バーナ１１，１２の燃焼状態との関係を表１に示す。
【表１】
0004604272.tif 000002
尚、表中のＯは正常燃焼を示し、×は異常燃焼を示す。この異常燃焼には、着火に失敗してバーナに火炎が形成されない場合も含まれる。
【００２２】
上述のように構成された給湯器では、図示しない給湯栓を開くことにより給水管１４に水が流れると、水側制御ユニット５１内の水流センサからの検知信号によりコントローラ５０は、ファン６０を駆動してプリパージを開始すると共に、図２のフローチャートに示されるように、ガス種判別制御を開始する。
先ず、ＬＰＧ仕様に設定し、つまりＬＰＧに適した空燃比制御データを選択し（Ｓ１）、イグナイタをオンする（Ｓ２）と共に、比例弁３１を点火用の所定開度に設定し、元開閉弁３２を開弁して（Ｓ３）、メインバーナ１１とセンサーバーナ１２とへ燃料ガスを供給し点火し、イグナイタをオフする（Ｓ４）。
【００２３】
そして、第２フレームロッド４２がセンサーバーナ１２の炎電流を検知し、その電流値Ｉｊが着火レベル未満であるか否か判断する（Ｓ５）。
検知電流値Ｉｊが着火レベル未満であれば、着火異常と判断する（Ｓ６）。この検知電流値Ｉｊが着火レベル未満になる要因としては、比例弁３１の故障により燃料ガスが十分供給されずインプットが所望のレベルより少なかったり、元開閉弁３２の故障により燃料ガスが供給されなかったり、ファン６０の故障により理論空気量に対する実際の空気量を示す一次空気比が大き過ぎたり、イグナイタが正常にオンしていないこと等が考えられる。
そして、比例弁３１，元開閉弁３２を閉弁して（Ｓ７）、メインバーナ１１とセンサーバーナ１２とを消火する。
一方、検知電流値Ｉｊが着火レベル以上であれば、着火異常はないとしてステップ８へ進む。
【００２４】
ステップ８において、第１フレームロッド４１がメインバーナ１１の炎電流を検知し、その電流値Ｉｍが判定値以上であれば、メインバーナ１１が正常燃焼しているとして、供給ガスがＬＰＧであると判断し、その燃焼仕様のまま燃焼を継続する（Ｓ９）。
【００２５】
一方、検出電流値Ｉｍが判定値未満であれば、メインバーナ１１が着火していない（或いは異常燃焼している）として、供給ガスがＤＭＥであると判断し（Ｓ１０）、比例弁３１，元開閉弁３２を閉弁して（Ｓ１１）、メインバーナ１１とセンサーバーナ１２とを消火する。
【００２６】
そして、ＤＭＥ仕様に設定し、つまり、ＬＰＧが供給される場合と同じインプットになるようにガス流量をＬＰＧの場合よりも増やすと共に、適正な空燃比で燃焼するようにファン６０の回転数を制御するようなＤＭＥ用の空燃比制御データを選択し（Ｓ１２）、ステップ２へ戻って、メインバーナ１１とセンサーバーナ１２とを点火し（Ｓ３，Ｓ４）、着火異常が無ければ（Ｓ５）、ステップ８へ進む。
この時、ＤＭＥ仕様に設定されているため、メインバーナ１１は、正常燃焼し、ステップ８では、検知電流値Ｉｍが判定値以上となって、そのＤＭＥ仕様のまま燃焼を継続する（Ｓ９）。
【００２７】
このようにしてガス種を判別した後、図示しないリモコンで設定された出湯温度と入水温サーミスタ５２で検出された入水温度との温度差に入水流量を乗じて要求インプットＩｐを算出し、供給ガス種に対応した空燃比制御データに基づいてフィードフォーワード燃焼制御を開始する。この燃焼制御中に、出湯温サーミスタ５３で検出される湯温と設定温度とに温度差があると、熱交換器１３の出口温度を一定に保たせるように比例弁電流Ｉを連続的に補正すると共に、常にガス量と給気量とが所定の関係に保たれるようにファン６０の回転数も補正するフィードバック燃焼制御を行う。
【００２８】
つまり、ガス種が変更されたことを判定した場合には、自動的にその変更後のガス種に適した空燃比制御データに切り替えてフィードフォワード燃焼制御およびフィードバック燃焼制御を行う。
そして、図示しない給湯栓が閉められると、比例弁３１，元開閉弁３２を閉弁して、各バーナ１１，１２へのガス供給を遮断して消火する。
【００２９】
以上説明したように、本実施形態の給湯器では、メインバーナ１１の燃焼状態とセンサーバーナ１２の燃焼状態とから、ガス種を正確に判別する。
例えば、センサーバーナを備えずにメインバーナ１１の燃焼状態だけでガス種を判別する場合には、メインバーナ１１が異常燃焼する際に、燃焼仕様と異なるガス種のＤＭＥが供給されたためなのか、それとも着火異常のためなのか区別できない。従って、着火異常でもＤＭＥが供給されていると誤判別してしまう。
これに対して、本実施形態では、２つのバーナの燃焼状態を示す信号の組み合わせに応じて正しくガス種の判別を行うことができる。
ガス種を切り替えてもインプットを等しくすることができ、給湯器の燃焼や出力などの特性を良好に維持できる。
【００３０】
このようにして、ＬＰＧとＤＭＥとをその市場価格，供給状況に応じて適宜切り替えて使うといった並行使用が可能になり、経済的である。この際、使用者は燃料ガスを区別して器具を使用しなくてもよく、安全で使い勝手がよい。
また、自動的にガス種に適した燃焼仕様に切り替えるため、ガス種転換作業が不要となり便利である。
【００３１】
また、本実施形態の給湯器は強制燃焼式であるため、燃焼仕様が異なると、メインバーナ１１の火炎がリフトしたり、火炎自体が形成されないことが多々あるが、ステップ１１で一旦比例弁３１，元開閉弁３２を閉弁して消火するため、生ガスの漏出を防止でき安全である。
【００３２】
しかも、バーナの燃焼状態を検知する火炎検知素子としてフレームロッドを用いたため、立ち上がりが早くしかも応答性が良いため、ＤＭＥが供給されても、ガス種判別中におけるメインバーナ１１の異常燃焼（或いは不着火）時間が短く、安全である。
【００３３】
また、点火操作時にステップ１でＬＰＧ仕様に設定しているため、ＤＭＥ仕様に初期設定する場合よりも、使用するガス流量が少なくインプット過多を防止でき安全である。
つまり、ＤＭＥ仕様に初期設定する場合においては、ＤＭＥが低ＷＩガスであるため、供給ガス流量がＬＰＧ仕様よりも多く、ＬＰＧが供給されると、インプット過多になってしまう。これに対して本実施形態では、ステップ１でＬＰＧ仕様に設定しているため、インプット過多を防止できて安全である。
【００３４】
《第２実施形態》
次に、第２実施形態について図３のフローチャートを用いて説明する。尚、第１実施形態と異なる部分について説明し、重複する部分に関しては同一ステップ番号を付してその説明を省略する。
【００３５】
強制燃焼式ガス給湯器に、燃料ガスのＷＩの異なるＤＭＥやＬＰＧを正常燃焼する（火炎を形成する）メインバーナと、特定の燃料ガス（ここではＬＰＧ）が供給される場合にのみ正常燃焼するセンサーバーナとを設ける。尚、このメインバーナは、炎口形状や炎口負荷を調整したり、保炎用の炎口を設けたりすることで、ＤＭＥでもＬＰＧでも火炎を形成することができる。
この場合の各バーナの燃焼状態と判定結果の関係を表２に示す。
【００３６】
【表２】
0004604272.tif 000003
【００３７】
上述のバーナを備えた給湯器では、第１実施形態と同様に、ガス種判別制御を開始し、各バーナを点火する（Ｓ１〜Ｓ４）。
そして、メインバーナの炎電流値Ｉｍが着火レベル未満であるか否か判断する（Ｓ１３）。
検知電流値Ｉｍが着火レベル未満であれば、着火異常と判断し（Ｓ６）、比例弁３１，元開閉弁３２を閉弁して（Ｓ７）、メインバーナとセンサーバーナとを消火する。
一方、検知電流値Ｉｍが着火レベル以上であれば、着火異常はないとしてステップ１４へ進む。
【００３８】
ステップ１４において、センサーバーナの炎電流値Ｉｊが判定値以上であれば、センサーバーナが正常燃焼しているとして、供給ガスがＬＰＧであると判断し、その燃焼仕様のまま燃焼を継続する（Ｓ９）。
【００３９】
一方、ステップ１４において、検出電流値Ｉｊが判定値未満であれば、供給ガスがＤＭＥであると判断し（Ｓ１０）、ステップ１５に進み、この段階ではＬＰＧ仕様に設定されているため、ステップ１１に進んで比例弁３１，元開閉弁３２を閉弁して、各バーナを消火し、ＤＭＥ仕様に設定し（Ｓ１２）、ステップ２〜１０まで行う。この段階では、ＤＭＥ仕様に設定されているためステップ１５からステップ９へ進み、その燃焼仕様のまま燃焼を継続する。
【００４０】
以上説明した給湯器は、第１実施形態と同様の効果が得られ、判別したガス種の燃焼仕様に自動的かつ安全に切り替えることができる。
また、センサーバーナでは、ガス種による燃焼状態の差を大きく取れるように設計して製造できるため、メインバーナの燃焼状態を示す信号との組み合わせにより、正確にガス種を判別することができる。
【００４１】
以上本発明の実施形態について説明したが、本発明はこうした実施形態に何等限定されるものではなく、本発明の要旨を逸脱しない範囲において、種々なる態様で実施し得ることは勿論である。
例えば、フレームロッドに代えて熱電対を用い、その起電力を検知してガス種を判別してもよい。
また、ガス種を判定して適正な燃焼仕様に設定した後は、センサーバーナを消火してもよい。
【００４２】
また、ステップ１においてＤＭＥ仕様に設定してもよい。
この場合、第１実施形態では、表３に示されるように、メインバーナ１１とセンサーバーナ１２の両方が正常燃焼すると供給ガスがＤＭＥであると判断して燃焼を継続し、センサーバーナ１２のみ正常燃焼するとＬＰＧであると判断して燃焼仕様をＬＰＧ用に変更する。
【００４３】
【表３】
0004604272.tif 000004
【００４４】
一方、第２実施形態では、表４に示されるように、メインバーナとセンサーバーナの両方が正常燃焼すると供給ガスがＤＭＥであると判断して燃焼を継続し、メインバーナのみ正常燃焼するとＬＰＧであると判断して燃焼仕様をＬＰＧ用に変更する。
【００４５】
【表４】
0004604272.tif 000005
【００４６】
また、ステップ１においてガス種の燃焼仕様をＬＰＧとＤＭＥとの何れか一方に常に固定するのではなく、正常に燃焼されたガス種の燃焼仕様を設定し記憶させておいて、次回からもその設定仕様でガス種判別制御を開始してもよい。この場合、供給ガス種が直前回と同じであれば、ガス種判別制御時間が短縮される。
【００４７】
また、自動で燃焼仕様を切り替えずに、ガス種判定後、その判定結果を報知する報知手段を設けて、この報知を受けた作業者が手動で燃焼仕様を切り替えるようにしてもよい。この報知手段として、アラームや音声メッセージといった聴覚情報や、ランプやディスプレイといった視覚情報を用いて報知するものを用いてもよい。
【００４８】
また、強制燃焼式のガス器具ではなく、テーブルこんろといった自然燃焼式のガス器具に本発明を適用してもよい。自然燃焼式の場合は、供給ガスが設定仕様と異なっても火炎を形成しやすいので、特に、第２実施形態において、こうした特性を持つメインバーナの設計が容易となる。
また、自然燃焼式のガス器具等、供給ガスが設定仕様と異なっても火炎を形成できる場合には、ガス種判定後、ガス供給路を閉鎖せずに、そのまま燃焼仕様を切り替えて燃焼を継続してもよい。
【００４９】
【発明の効果】
以上詳述したように、本発明の請求項１のガス燃焼器具によれば、メインバーナとセンサーバーナの燃焼状態に応じてガス種を判別するため、メインバーナの異常燃焼がガス種違いによるものなのか、着火異常によるものなのかを判断でき、正確にガス種を判別できる。
この結果、判別された燃料ガスに適した燃焼仕様に切り替えることにより、２種類の燃料ガスを並行使用することができる。
【００５０】
更に、本発明の請求項２のガス燃焼器具によれば、メインバーナとセンサーバーナの燃焼状態に応じてガス種を判別するため、センサーバーナの異常燃焼がガス種違いによるものなのか、着火異常によるものなのかを判断でき、正確にガス種を判別できる。
この結果、判別された燃料ガスに適した燃焼仕様に切り替えることにより、２種類の燃料ガスを並行使用することができる。
また、メインバーナではなくセンサーバーナでガス種を判別するため、ガス種による燃焼状態の差を大きく取ることができ、正確にガス種を判別することができる。
【００５１】
更に、本発明の請求項３のガス燃焼器具によれば、着火異常時には、両方のバーナを消火するため、生ガスの漏出を防ぐことができ、安全である。
【００５２】
更に、本発明の請求項４のガス燃焼器具によれば、ガス種を切り替えてもインプットが等しくなり、燃焼器具の燃焼や出力などの特性が悪化することがない。
また、燃焼仕様が自動的に切り替わりガス種転換作業が不要となる。
【００５３】
更に、本発明の請求項５のガス燃焼器具によれば、ガスボンベという同じガス供給形態のＬＰＧとＤＭＥとを判別でき切り替えて使用できるため、市場価格，供給状況等に応じて燃料ガスを選択でき、経済的である。
【図面の簡単な説明】
【図１】第１実施形態としてのガス燃焼器具の概略構成図である。
【図２】第１実施形態としての着火シーケンスを示すフローチャートある。
【図３】第２実施形態としての着火シーケンスを示すフローチャートある。
【符号の説明】
１１…メインバーナ、１２…センサーバーナ、３１…比例弁、３２…元開閉弁、４１…第１フレームロッド、４２…第２フレームロッド、５０…コントローラ、６０…ファン。
【図１】
0004604272.tif 000006
【図２】
0004604272.tif 000007
【図３】
0004604272.tif 000008